(57)【要約】【目的】本発明の目的は、原稿と原稿台を離間させた状態で流し読みを行う場合であっても、鮮明な画像を読み取ることの出来る画像読取装置および画像形成システムを得ることにある。【構成】本発明は、原稿台に載置される原稿を移動して読み取る第１の読取りと、原稿台に対して搬送される原稿を読み取る第２の読取りと、を行う読取手段と、前記第２の読取りにおける読取位置で、搬送される原稿を原稿台から離間させる離間手段と、前記第２の読取りにおける読取位置での前記読取手段の焦点位置を、前記第１の読取りにおける読取位置での前記読取手段の焦点位置に対し、前記離間手段が原稿を離間させた状態の原稿表面に接近する方向へ変更する変更手段と、によって画像読取装置および画像形成システムを構成している。【選択図】        図５
2015231200.tif 000002
【特許請求の範囲】
【請求項１】
原稿台に載置される原稿を移動して読み取る第１の読取りと、原稿台に対して搬送される原稿を読み取る第２の読取りと、を行う読取手段と、
前記第２の読取りにおける読取位置で、搬送される原稿を原稿台から離間させる離間手段と、
前記第２の読取りにおける読取位置での前記読取手段の焦点位置を、前記第１の読取りにおける読取位置での前記読取手段の焦点位置に対し、前記離間手段が原稿を離間させた状態の原稿表面に接近する方向へ変更する変更手段と、
を備えることを特徴とする画像読取装置。
【請求項２】
前記変更手段は、前記第２の読取りにおける読取位置において読取手段が原稿台に当接する面が、前記第１読取りにおける読取位置において読取手段が原稿台に当接する面よりも、前記離間手段が原稿台から原稿を離間させた状態の原稿表面に接近する方向へオフセットされていることである、請求項１に記載の画像読取装置
【請求項３】
前記変更手段は、原稿台の厚さにより前記オフセットする距離を調整することを特徴とする、請求項２に記載の画像読取装置
【請求項４】
前記変更手段は、前記第１の読取りにおける読取位置において、読取手段が部材を介して原稿台に付勢され、前記部材の厚さにより前記オフセットする距離を調整することを特徴とする、請求項２に記載の画像読取装置
【請求項５】
請求項１から４のいずれか１項の画像読取装置を備えたことを特徴とする、画像記録システム。
【発明の詳細な説明】
【技術分野】
【０００１】
本発明は、原稿を搬送しながら読み取る画像読み取り装置、及びその種の画像読取装置付き画像形成システムに関する。
【背景技術】
【０００２】
近年の画像形成システムにおいては、第１の読取りとして原稿台上の固定した原稿に対して読取手段を移動させて画像を読み取る固定読み方式と、第２の読取りとして自動原稿搬送装置により原稿を搬送させ読取手段を固定して読み取りを行う流し読み方式と、の複数の方式で原稿の読み取りが可能な画像読取装置を備えるものがある。
【０００３】
流し読み方式で画像読取を行う際に、原稿と流し読み原稿台の表面とが摺擦し、汚れやゴミが流し読み原稿台の表面に付着して画像の読み込みに悪影響を及ぼすことがある。これを防止するため、原稿と流し読み原稿台の表面とを離間させる気流を生成する手段を持つものが特許文献１において提案されている。
【先行技術文献】
【特許文献】
【０００４】
【特許文献１】特開２００６−３３９７５３
【発明の概要】
【発明が解決しようとする課題】
【０００５】
しかしながら、従来技術では、第１の読取りである固定読み時において原稿台に圧着された原稿表面に対して、読取手段の焦点位置を合わせてある。そのため、第２の読取りである原稿台から離間した流し読み時の原稿表面に対しては、読取手段の焦点が合わず、流し読み時の読取画像が不鮮明となるという問題があった。
【０００６】
本発明は、原稿と原稿台とを離間させた状態で流し読みを行う場合であっても、鮮明な読取画像を得ることを目的とする。
【課題を解決するための手段】
【０００７】
前記目的を達成するために、本発明は、原稿台に載置される原稿を移動して読み取る第１の読取りと、原稿台に対して搬送される原稿を読み取る第２の読取りと、を行う読取手段と、前記第２の読取りにおける読取位置で、搬送される原稿を原稿台から離間させる離間手段と、前記第２の読取りにおける読取位置での前記読取手段の焦点位置を、前記第１の読取りにおける読取位置での前記読取手段の焦点位置に対し、前記離間手段が原稿を離間させた状態の原稿表面に接近する方向へ変更する変更手段と、によって画像読取装置および画像形成システムを構成している。
【発明の効果】
【０００８】
本発明の画像読取装置によれば、原稿と原稿台とを離間させた状態で流し読みを行う場合であっても、焦点の合った鮮明な読取画像を得ることが可能となる。
【図面の簡単な説明】
【０００９】
【図１】本発明による画像形成システムの概略構成図
【図２】本発明による画像読取装置の概略構成図
【図３】画像形成システムの制御ブロック図
【図４】画像読取装置の制御ブロック図
【図５】実施例１の説明図
【図６】従来例の説明図
【図７】実施例２の説明図
【図８】実施例３の説明図
【図９】スペーサ設置位置の説明図
【図１０】画像読取制御のフローチャート
【発明を実施するための形態】
【００１０】
以下、本発明の実施の形態を図に基づいて説明する。
【実施例１】
【００１１】
図１は本発明の実施形態における画像読取装置付き画像形成システムの概略断面図であり、画像読取装置２００と画像形成装置１００とからなる。  画像読取装置２００は、原稿の画像を読み取る画像読取部２１０と、原稿Ｄを画像読取部２１０へ給送する原稿給送部２２０から構成されている。  画像形成装置１００には、下部から上部に向かって順に、シート給送部１０、画像形成部２０、定着部３０、シート排出部４０が設けられている。また、画像形成部２０、定着部３０の右側には、シート再給送部５０が設けられている。
【００１２】
シート給送部１０では、給送カセット１１や手差しトレイ１７に積載されたシートＳを画像形成部２０へ給送する。給送カセット１１に収納されたシートＳは、ピックアップローラ１２が回転することによって分離ローラ対１３へ給送される。シートＳが重送している場合は、正転ローラと反転ローラとからなる分離ローラ対１３によって１枚に分離され、実線で示す給送パスＰＳ１に供給される。
【００１３】
次に、シートＳは、給送ローラ対１５によってレジストローラ対１６に搬送される。ここで、回転を停止しているレジストローラ対１６のニップにシートＳの先端を倣わせることで、シートＳの斜行を矯正する。
【００１４】
なお、マルチ給紙トレイ１７からシートＳを給送する場合は、供給ローラ１８ａおよび分離パッド１８ｂによってシートを１枚に分離する。そして、供給ローラ対１９によって給送ローラ対１５に供給され、レジストローラ対１６に搬送されることでシートＳの斜行が矯正される。
【００１５】
斜行が矯正されたシートは、所定のタイミングで回転するレジストローラ対１６によって画像形成部２０に搬送される。
画像形成部２０では、帯電ローラ２２によって感光ドラム２１がその表面を均一に帯電されている。レーザユニット２３から画像情報に対応したレーザ光が照射されると、感光ドラム２１のレーザ光が照射された部分は、帯電ローラ２２によって帯電されていた電荷が除去され、画像情報に対応した静電潜像が形成される。ここで形成された静電潜像は、現像ローラ２４によって現像剤が付着され、現像剤像として可視化される。
【００１６】
この現像剤像は、感光ドラム２１の回転によって転写ニップ部Ｎ１に搬送される。このタイミングに合わせてレジストローラ対１６からシートＳが転写ニップ部Ｎ１に搬送される。搬送されたシートＳは、転写ニップ部Ｎ１において感光ドラム２１と転写ローラ２５に挟持搬送される。このとき転写ローラ２５からのバイアス電圧印加によって感光ドラム２１に形成された現像剤像がシートSに転写される。なお、レーザユニット２３から照射されるレーザ光は、画像読取装置２００あるいはホストＰＣ１より送信された画像データに基づいて制御される。
【００１７】
次に、現像剤像が形成されたシートＳは、定着部３０へと搬送される。定着部３０は、不図示のハロゲンランプ等の熱源、定着ローラ３１、加圧ローラ３２から構成される。定着ローラ３１はアルミ等の材質からなり、熱源により所定の温度に加熱される。加圧ローラ３２は定着ローラ３１に接触して所定の圧力で加圧するよう設置され、定着ニップ部Ｎ２を形成する。
【００１８】
現像剤像が形成されたシートＳは、定着ニップ部Ｎ２に送り込まれて、定着ローラ３１と加圧ローラ３２とで挟持搬送される。このときに加熱加圧されることで、現像剤像がシートＳ上に定着される。なお、定着部３０は、定着ローラ３１で加熱する加熱ローラ方式の他に、セラミックヒータ等の熱源を端部レスフィルムを介して加圧ローラ３２が加圧することで定着ニップ部Ｎ２を形成し、ニップ部Ｎ２にてシートＳを挟持搬送しながら加熱加圧するオンデマンド定着方式を用いても良い。
【００１９】
次に、現像剤像が定着されたシートＳは、シート排出部４０へと搬送され、排出ローラ対４１によって排出トレイ４２へ排出される。
【００２０】
シートＳの両面に画像を形成する場合は、１面目に画像形成されたシートＳが排出ローラ対４１によって搬送されているときに、シートＳの後端が排出ローラ対４１を抜ける前に排出ローラ対４１を一旦停止させ、さらに排出ローラ対４１を逆回転させることで、シートＳを反転させてシート再給送部５０へ搬送する。
【００２１】
シート再給送部５０へ搬送されたシートＳは、再給送ローラ対５１ａ、５１ｂによって破線で示す再給送パスＰＳ２を搬送され、再給送ローラ対５１ｃによってレジストローラ対１６に搬送される。そして、レジストローラ対１６によって斜行を矯正された後、裏面が転写ニップ部Ｎ１に搬送されることで、シートＳの２面目に現像剤像が形成される。その後は、表面に画像形成したときと同様に定着ニップ部Ｎ２を搬送されることで現像剤像がシートＳに定着され、両面に画像が形成されたシートＳは排出ローラ対４１によって排出トレイ４２へ排出される。
【００２２】
図２は、図1に示した画像読取装置２００の詳細断面図である。
【００２３】
画像読取部２１０は、固定読みの際にユーザーによって原稿が置かれる原稿台ガラス２３０と、流し読みの際に原稿給送部２２０によって給送された原稿が通過する流し読みガラス２４０と、原稿台ガラス２３０及び流し読みガラス２４０の下方を往復移動可能に設けられ、原稿の画像を読み取る読取走査ユニット２５０と、を有している。
【００２４】
画像読取部２１０の上方には、原稿を供給して搬送するための原稿給送部２２０が設けられている。原稿給送部２２０は、ヒンジなどの開閉支持部材によって画像読取部２１０に対して図２の奥側を中心に回動自在に取り付けられている。このため、原稿給送部２２０は、原稿台ガラス２３０と流し読みガラス２４０との上面を開閉できるようになっている。
【００２５】
第１の読取りである固定読みの場合、ユーザーによって原稿台ガラス２３０上に置かれた原稿は、原稿給送部２２０の下部に配置される不図示の原稿圧板により原稿台ガラス２３０上に押し付け固定される。そして、原稿を固定した状態で原稿台ガラス２３０の下方を読取走査ユニット２５０が移動しながら原稿台ガラス２３０上の原稿の画像を読み取る。このとき、読取走査ユニット２５０の移動する方向を副走査方向といい、副走査方向と直交する方向を主走査方向という。
【００２６】
第２の読取りである流し読みの場合、読取走査ユニット２５０は、流し読みガラス２４０の下方の所定の読取位置に移動し、停止する。そして、原稿給送部２２０は原稿載置部２２１に載置された原稿Ｄを給送ローラ２２２で取り込み、分離ローラ２２３ａと分離板２２３ｂとからなる分離部２２３に給送する。ここで、分離部２２３は、給送ローラ２２２にて複数枚の原稿Ｄが給送された場合に、原稿Ｄを１枚ずつ分離しながら搬送する。次に、レジセンサＳ１で原稿Ｄの先端を検知すると、レジストローラ対２２４にて、分離部２２３から搬送されてきた原稿Ｄの先端を受け止めて原稿Ｄの斜行を矯正する。ここで、レジセンサＳ１では原稿Ｄの斜行矯正のタイミングを計る他に、原稿Ｄの後端を検知したことに応じて給送ローラ２２２による給送タイミングを計り、検知時間に応じて原稿Ｄのサイズ判定を行うことができる。
【００２７】
レジストローラ対２２４にて斜行が矯正された原稿Ｄは搬送路ＰＳ３へ搬送され、その後リードローラ対２２６ａ、プラテン搬送部２２５、リードローラ対２２６ｂの順に受け渡される。読取走査ユニット２５０は、流し読みガラス２４０を介したプラテン搬送部２２５の下部で、搬送される原稿Ｄの読み取りを行う。
【００２８】
画像が読み取られた原稿Ｄは、リードローラ対２２６ｂによって反転排出ローラ対２２７へ搬送され、反転排出ローラ対２２７によって原稿排出部２２８へ排出される。
【００２９】
図３は画像形成システムの制御ブロック図である。１０１は制御手段としてのＣＰＵである。このＣＰＵ１０１は入力データの記憶や作業用記憶領域等として用いるＲＡＭ１０２と、制御手順等のプログラムを記憶したＲＯＭ１０３を備える。ＣＰＵ１０１は外部インターフェース２を介してホストＰＣ１と接続され、画像データの受信や装置ステータスの送信などを行う。
【００３０】
ＣＰＵ１０１は、読取走査ユニット２５０による原稿の読取動作及び原稿の搬送動作を制御する画像読取装置制御部１２０、画像読取装置制御部１２０もしくはホストＰＣ１からの画像信号を処理する画像信号制御部１１０、画像信号制御部１１０から送られる画像信号に応じてシートに画像を形成する画像形成装置制御部１３０、本体の設定等を行うほかユーザーへのメッセージ等を表示する操作・表示部１４０と接続される。
【００３１】
図４は画像読取装置制御部の制御ブロック図である。画像読取制御部１２０は画像形成システムと同じく、入力データの記憶や作業用記憶領域等として用いるＲＡＭ１２２と制御手順等のプログラムを記憶したＲＯＭ１２３を備えた、制御手段としてのＣＰＵ１２１を備える。ＣＰＵ１２１は画像読取部２１０と原稿給送部２２０を制御するため、I／Oポート１２４を通じて各種センサ及びアクチュエータと接続される。
【００３２】
本実施例においては、原稿載置部２２１上の原稿を検知する原稿センサＳ４、原稿先端を検知するレジセンサＳ１、原稿読取タイミングを検知するリードセンサＳ２、排出時における滞留ジャムや遅延ジャムなどを検知する排出センサＳ３、読取走査ユニット２５０を移動させる光学モータM１、分離ローラを駆動する分離モータM2、リードローラを駆動するリードモータM3、給送ローラを駆動する給送モータM4、プラテンローラを駆動するプラテンモータM5、レジストローラを駆動するレジストモータM6、プラテン搬送部２２５に吸着させて原稿を流し読みガラス２４０の表面から離間させるファンモータM7が接続されている。
【００３３】
図５は流し読み時および固定読み時の画像読取装置２００の拡大図である。
【００３４】
プラテン搬送部２２５はプラテンローラ２２５ａ、穴あきベルト２２５ｂ、吸引ファン２２５ｃから構成されている。流し読み時はプラテンローラ２２５ａと吸引ファン２２５ｃを駆動し、原稿Ｄを穴あきベルト２２５ｂに吸着しながら搬送する。これにより、原稿Ｄと流し読みガラス２４０の表面を離間し、摺擦による流し読みガラス２４０の汚れを防止する。
【００３５】
読取走査ユニット２５０は付勢バネ２５１により流し読みガラス２４０もしくは原稿台ガラス２３０に接近する方向に付勢され、後述する突き当て部材２５３によりガラス底面と読取走査ユニット２５０との間隔が一定に保たれている。
【００３６】
読取走査ユニット２５０は、流し読みと固定読みとの何れの場合であっても、ＬＥＤなどの光源２５０ａから原稿に光を照射し、ＣＭＯＳなどのイメージセンサ２５０ｂでその反射光を受光して電気信号に変換することにより、画像データを作成する。原稿のコピーを行う際には、その画像データを図３のＣＰＵ１０１に送信し、シート上に画像の形成を行う。
【００３７】
固定読み時においては、読取走査ユニット２５０は突き当て部材２５３が原稿台ガラス２３０の底面に当接して高さ方向の位置決めを行い、矢印Bの副操作方向にスキャンして原稿台ガラス２３０上に置かれた原稿Ｄ’の読み取りを行う。このときイメージセンサの焦点位置は原稿台ガラス２３０に圧着された原稿D’の表面に設定されている。（図中Ｐ‘）
【００３８】
一方、流し読み時においては、読取走査ユニット２５０は図中Ａの位置に停止し、搬送されてくる原稿Ｄの読み取りを行う。このとき原稿Ｄはプラテン搬送部２２５に吸着搬送されるため、原稿ガラス２３０上に置かれた場合と比較して原稿表面が図中上方に移動する。これに対し突き当て部材２５３を流し読みガラス２４０の底面に当接し、読取走査ユニット２５０の高さ方向の位置決めを行う。流し読みガラス２４０の底面は、原稿台ガラス２３０の底面より原稿表面に接近する方向へオフセットされており、イメージセンサ２５０ｂの焦点位置は、原稿Dの表面に設定される。（図中Ｐ）
【００３９】
図６は従来の構成による流し読み及び固定読みの説明図である。
従来の構成においては流し読みガラス２４０と原稿台ガラス２３０の厚さが同じで、流し読みと固定読みの何れの場合でもイメージセンサの焦点位置はガラス表面に設定されている。そのため、流し読みの場合には焦点位置と原稿表面位置に差が生じ、読み取り画像が不鮮明となってしまう。
【００４０】
図１０は本実施例におけるCPU１２１の制御のフローチャートである。ＣＰＵ１２１は操作・表示部１４０よりステップ１０１においてコピーボタンの押下により原稿読み取りの指令を受け取ると、フローチャートに従って処理を行う。
【００４１】
まずステップ１０２において、原稿センサＳ４の検知結果から原稿給送部２２０の原稿載置部２２１上に原稿が載置されているか判定する。
【００４２】
原稿給送部２２０の原稿載置部２２１上に原稿が載置されている場合は流し読みと判定し、ステップ１０３に進み読取走査ユニット２５０を流し読み位置へ移動する。このときイメージセンサの焦点位置は、流し読みガラス２４０の厚さにより流し読みガラスの表面から離間した、流し読み原稿表面の位置に設定される。
【００４３】
次にステップ１０４でプラテン搬送部２２５の吸引ファンを動作させ、ステップ１０５で給送ローラ２２２、リードローラ２２６ａ２２６ｂ、プラテン給送部２２５を駆動して原稿を搬送する。原稿Ｄは、流し読みガラス２４０の上でプラテン給送部２２５内の吸引ファン２２５ｃによりベルトに吸着され、流し読みガラス２４０に接触せずに搬送される。ステップ１０６で流し読み位置に固定した読取走査ユニット２５０により、搬送される原稿Ｄの画像読み取りを行う。
【００４４】
原稿１枚の画像読み取りが終了した後、ステップ１０７で原稿載置部２２１上の原稿を検知し、原稿がある場合はステップ１０５に戻って原稿の読み取りを行う。原稿が無い場合は搬送を行う各ローラと吸引ファンの駆動を停止し、読取走査ユニット２５０をホームポジションへ移動させて読取動作を終了する。
【００４５】
ステップ１０２で原稿が原稿載置部２２１に載置されていない場合、固定原稿の読み取りと判定してステップ１１０に進む。画像読取部２１０内に設置された原稿サイズセンサＳ５により原稿台ガラス上の原稿の有無を判定して、原稿台ガラス上に原稿が無ければ処理を終了し、原稿台ガラス上に原稿が有ればステップ１１１として読取走査ユニット２５０を固定読み開始位置へと移動する。次にステップ１１２で前記原稿サイズセンサＳ５により原稿台ガラス２３０上の原稿のサイズを検知し、ステップ１１３で原稿サイズに応じて読取走査ユニット２５０を副走査方向に移動しながら画像の読み取りを行う。
【００４６】
読取走査ユニット２５０が原稿台ガラス２３０の下を移動する場合、イメージセンサの焦点位置は原稿台ガラス２３０の厚さにより、原稿台ガラス２３０の表面に圧着された原稿表面の位置に設定される。
【００４７】
その後、ステップ１０９へ進み読取走査ユニット２５０をホームポジションへ移動させ、読み取り動作を終了する。なお、本実施例においては固定読みと流し読みの原稿台の材質をガラスとしているが、透明な材質であればよい。
【実施例２】
【００４８】
実施例１の画像読取装置において、原稿台ガラスにスペーサを設置したものについて説明を行う。
【００４９】
図７および図９は原稿台ガラス２３０の底面にスペーサ２５２を設けたものの説明図である。原稿台ガラス２３０の底面において、読取走査ユニット２５０の突き当て部材２５３が接触する位置に、スペーサ２５２を設置する。
固定読みを行う場合、読取走査ユニット２５０は突き当て部材２５３をスペーサ２５２の底面に接触させて高さ方向の位置決めがなされ、原稿台ガラス２３０に圧接された原稿D’の表面に焦点位置が設定される。
流し読みを行う場合、読取走査ユニット２５０は突き当て部材２５３を流し読みガラス２４０の底面に接触させて高さ方向の位置決めがなされ、流し読み原稿Dの原稿表面に焦点位置が設定される。
【００５０】
スペーサ２５２の具体的な設置位置については、図９に示すように、読取走査ユニット２５０の突き当て部材２５３が接触及び摺動する、画像読取範囲外の領域に設定すればよい。なお、矢印Ｂは読取走査ユニット２５０がスキャンする副走査方向である。
【００５１】
以上の構成を取ることにより、流し読み時と固定読み時のイメージセンサの焦点位置を変更することが可能となる。
【実施例３】
【００５２】
実施例１、２の画像読取装置で、流し読み時に吸引ファンを用いずに流し読みガラス表面と原稿を離間する構成を持つものについて、説明を行う。
【００５３】
図８は原稿規制部材により流し読みガラスの表面と原稿の接触を回避するものの説明図である。読取原稿は流し読み時に、リードローラ２２６ａによりプラテンローラ２５４に寄せられた状態で搬送される。そして規制部材２５５によって掬い上げられ、流し読みガラス２４０の表面に触れずにリードローラ２２６ｂへと受け渡される。その後、リードローラ２２６ｂをリードローラ２２６ａよりも速い速度で回転させることにより読取原稿に張力を与え、原稿Ｄと流し読みガラスを離間した状態で搬送を行う。
【００５４】
以上の構成をとることにより、流し読み時に読取原稿と流し読みガラスを接触させること無く画像の読み込みを行うことが可能となる。
【符号の説明】
【００５５】
１００  画像形成装置
２００  画像読取装置
２１０  画像読取部    
２２０  原稿給送部    
２２１  原稿載置部    
２２２  給送ローラ    
２２３  分離部      
２２３ａ  分離ローラ    
２２３ｂ  分離版      
２２４  レジストローラ対  
２２５  プラテン搬送部    
２２６ａ  リードローラ対    
２２６ｂ  リードローラ対    
２３０  原稿台ガラス    
２４０  流し読みガラス    
２５０  読取走査ユニット  
２５０ａ  光源
２５０ｂ  イメージセンサ
２５１  付勢バネ    
２５２  スペーサ    
２５３  突き当て部材    
２５４  プラテンローラ    
２５５  規制部材  
【図１】
2015231200.tif 000003
【図２】
2015231200.tif 000004
【図３】
2015231200.tif 000005
【図４】
2015231200.tif 000006
【図５】
2015231200.tif 000007
【図６】
2015231200.tif 000008
【図７】
2015231200.tif 000009
【図８】
2015231200.tif 000010
【図９】
2015231200.tif 000011
【図１０】
2015231200.tif 000012